(57)【要約】【課題】  自動階調補正機能実行時のユーザによる操作間違いや制約の見落としによる誤補正を回避することができる画像形成装置を提供すること。【解決手段】  用紙を読み取る際にＲＦＩＤタグ読込手段により得られた付加情報に基づいて該用紙が階調補正用パターンを印刷したものであると判明した場合には該付加情報に基づいて自動階調補正機能の実行の可否を決定する判断手段を備え、前記判断手段により実行可と判断された場合にのみ自動階調補正機能を実行することを特徴とする。【選択図】    図１
2008235980.tif 000002
【特許請求の範囲】
【請求項１】
階調補正用パターンを用紙に印刷して出力する一方、用紙に印刷された階調補正用パターンを読み取って得た情報に基づいて階調補正を行う自動階調補正機能を備えた画像形成装置であって、
階調補正用パターンを用紙に印刷して出力する際に該用紙に付加されたＲＦＩＤタグに少なくとも該用紙が階調補正用パターンを印刷したものであることを示す情報を含む階調補正関連の付加情報を書き込むＲＦＩＤタグ書込手段と、
用紙を読み取る際に該用紙に付加されたＲＦＩＤタグから付加情報を読み込むＲＦＩＤタグ読込手段と、
用紙を読み取る際に前記ＲＦＩＤタグ読込手段により得られた付加情報に基づいて該用紙が階調補正用パターンを印刷したものであると判明した場合には該付加情報に基づいて前記自動階調補正機能の実行の可否を判断する判断手段とを備え、
前記判断手段により実行可と判断された場合にのみ前記自動階調補正機能を実行することを特徴とする画像形成装置
【請求項２】
前記ＲＦＩＤタグ書込手段が階調補正用パターン印刷対象の用紙に付加されたＲＦＩＤタグに書き込む付加情報は、該書き込み時点に自装置において累計している印刷枚数についての情報である印刷枚数情報を含む一方、
前記判断手段は、用紙を読み取る際に前記ＲＦＩＤタグ読込手段により得られた付加情報に基づいて該用紙が階調補正用パターンを印刷したものであると判明した場合において、該付加情報に含まれる印刷枚数情報により特定される累計印刷枚数と現時点での自装置における累計印刷枚数との差が一定枚数以下の場合に限り前記自動階調補正機能の実行を可と判断することを特徴とする請求項１に記載の画像形成装置。
【請求項３】
前記ＲＦＩＤタグ書込手段が階調補正用パターン印刷対象の用紙に付加されたＲＦＩＤタグに書き込む付加情報は、該書き込み時点における日時情報を含む一方、
前記判断手段は、用紙を読み取る際に前記ＲＦＩＤタグ読込手段により得られた付加情報に基づいて該用紙が階調補正用パターンを印刷したものであると判明した場合において、該付加情報に含まれる日時情報により特定される日時と現時点での日時との差が一定間隔以下の場合に限り前記自動階調補正機能の実行を可と判断することを特徴とする請求項１に記載の画像形成装置。
【請求項４】
前記ＲＦＩＤタグ書込手段が階調補正用パターン印刷対象の用紙に付加されたＲＦＩＤタグに書き込む付加情報は、該書き込み時点における日時情報を含む一方、
前記判断手段は、用紙を読み取る際に前記ＲＦＩＤタグ読込手段により得られた付加情報に基づいて該用紙が階調補正用パターンを印刷したものであると判明した場合において、該付加情報に含まれる日時情報により特定される日時以降に自装置おいて消耗品の交換がなかった場合に限り前記自動階調補正機能の実行を可と判断することを特徴とする請求項１に記載の画像形成装置。
【発明の詳細な説明】
【技術分野】
【０００１】
本発明は、ファクシミリ装置、複写機、デジタル複合機等の画像形成装置に関する。
【背景技術】
【０００２】
画像形成装置には、特許文献１等に示されている通り、従来より自動階調補正（ＡＡＣ）という機能がある。
【０００３】
そのＡＡＣ機能は具体的には、階調補正用のＡＡＣパターンを用紙に印刷出力し、その用紙に印刷出力されたＡＡＣ用パターンの読み取り結果に基づいて階調を補正する機能である。
【０００４】
しかしながらＡＣＣを実行する際には、ユーザに操作方法や制約を守ってもらう必要がある。もしも、ユーザがこれらの操作を間違えてしまったり、制約を見落としてしまったりした場合、正確な補正が実行できない。
【特許文献１】特開０９−１７２５４７号公報
【発明の開示】
【発明が解決しようとする課題】
【０００５】
特許文献１には、ＡＣＣを実行するための操作手順／構成や階調補正の演算方法が開示されているものの、ユーザによる操作間違いや制約の見落としによる誤補正を回避する対策がまったくとられていないという問題があった。
０１には、
【０００６】
本発明は係る事情に鑑みてなされたものであり、自動階調補正機能実行時のユーザによる操作間違いや制約の見落としによる誤補正を回避することができる画像形成装置を提供することを目的とする。
【課題を解決するための手段】
【０００７】
請求項１に記載の画像形成装置は、階調補正用パターンを用紙に印刷して出力する一方、用紙に印刷された階調補正用パターンを読み取って得た情報に基づいて階調補正を行う自動階調補正機能を備えた画像形成装置であって、階調補正用パターンを用紙に印刷して出力する際に該用紙に付加されたＲＦＩＤタグに少なくとも該用紙が階調補正用パターンを印刷したものであることを示す情報を含む階調補正関連の付加情報を書き込むＲＦＩＤタグ書込手段と、用紙を読み取る際に該用紙に付加されたＲＦＩＤタグから付加情報を読み込むＲＦＩＤタグ読込手段と、用紙を読み取る際に前記ＲＦＩＤタグ読込手段により得られた付加情報に基づいて該用紙が階調補正用パターンを印刷したものであると判明した場合には該付加情報に基づいて前記自動階調補正機能の実行の可否を判断する判断手段とを備え、前記判断手段により実行可と判断された場合にのみ前記自動階調補正機能を実行することを特徴とする。
【０００８】
請求項２に記載の画像形成装置は、請求項１に記載の画像形成装置において、前記ＲＦＩＤタグ書込手段が階調補正用パターン印刷対象の用紙に付加されたＲＦＩＤタグに書き込む付加情報は、該書き込み時点に自装置において累計している印刷枚数についての情報である印刷枚数情報を含む一方、前記判断手段は、用紙を読み取る際に前記ＲＦＩＤタグ読込手段により得られた付加情報に基づいて該用紙が階調補正用パターンを印刷したものであると判明した場合において、該付加情報に含まれる印刷枚数情報により特定される累計印刷枚数と現時点での自装置における累計印刷枚数との差が一定枚数以下の場合に限り前記自動階調補正機能の実行を可と判断することを特徴とする。
【０００９】
請求項３に記載の画像形成装置は、請求項１に記載の画像形成装置において、前記ＲＦＩＤタグ書込手段が階調補正用パターン印刷対象の用紙に付加されたＲＦＩＤタグに書き込む付加情報は、該書き込み時点における日時情報を含む一方、前記判断手段は、用紙を読み取る際に前記ＲＦＩＤタグ読込手段により得られた付加情報に基づいて該用紙が階調補正用パターンを印刷したものであると判明した場合において、該付加情報に含まれる日時情報により特定される日時と現時点での日時との差が一定間隔以下の場合に限り前記自動階調補正機能の実行を可と判断することを特徴とする。
【００１０】
請求項４に記載の画像形成装置は、請求項１に記載の画像形成装置において、前記ＲＦＩＤタグ書込手段が階調補正用パターン印刷対象の用紙に付加されたＲＦＩＤタグに書き込む付加情報は、該書き込み時点における日時情報を含む一方、前記判断手段は、用紙を読み取る際に前記ＲＦＩＤタグ読込手段により得られた付加情報に基づいて該用紙が階調補正用パターンを印刷したものであると判明した場合において、該付加情報に含まれる日時情報により特定される日時以降に自装置おいて消耗品の交換がなかった場合に限り前記自動階調補正機能の実行を可と判断することを特徴とする。
【発明の効果】
【００１１】
本発明によれば、ＲＦＩＤ（Ｒａｄｉｏ  Ｆｒｅｑｕｅｎｃｙ  ＩＤｅｎｔｉｆｉｃａｔｉｏｎの略）タグを用いることで、ユーザによる操作間違いの発生や制約の見落としを監視するため、自動階調補正（ＡＣＣ）実行時のユーザによる操作間違いの発生や制約の見落としの発生を低減し、誤補正を回避することが可能となる。また、ＡＣＣ実行時の機器の占有を最小限にできる効果も得られる。
【発明を実施するための最良の形態】
【００１２】
以下、添付図面を参照しながら、本発明を実施するための最良の形態について説明する。
【００１３】
図１は本発明を実施するための最良の形態に係る画像形成装置１００の基本構成を示すブロック図である。
【００１４】
同図において、コピー、スキャナ機能における画像の入力手段としてスキャナエンジン５があり、プリント機能における画像の入力手段として外部ホスト機器１１からの印刷データを受信するホストＩ／Ｆ（インターフェース）制御部１２があり、Ｉ／Ｆの種類としてはＩＥＥＥ１２８４、ＵＳＢ等のローカル接続や有線、無線によるイーサネット等のネットワーク接続がある。
【００１５】
ＦＡＸ機能においてはＦＡＸ送信時の画像入力手段は前述のスキャナ５の他、外部ホスト１１からもデータ入力可能である。ＦＡＸ受信時は一般公衆回線に接続されたＮＣＵ（ネットワークコントロールユニット）９を介してＦＡＸ制御部１０により印刷データとしてデータの復号化等が行われる。
【００１６】
印刷出力手段としてはプリンタエンジン１９があり、レーザー方式、ＬＥＤ方式、インクジェット方式等の作像方式がある。その他、各ブロックへの指示や制御等を行うＣＰＵ１がある。ＲＯＭ２には、実行するプログラムが格納されており、システムによっては複数個搭載することで処理性能を向上させるシステムもある。ＲＡＭ３はＲＡＭ制御部４を介してＣＰＵ１をはじめ、各ブロックの処理のデータ一時保存に活用される。
【００１７】
ＮＶＲＡＭ２１は不揮発メモリであり、機器固有の情報（例えば累計印刷枚数のカウンタ値、等）を保持させる用途に使われる。
【００１８】
操作部１６は機器操作のためのボタンや機器状態表示のためのインジケーター（ＬＥＤやＬＣＤ等の表示器、スピーカー、等）等、機器操作者とのマンマシンインターフェース部であり、操作部Ｉ／Ｆ制御１７により操作部１６との情報入出力を行なう。
【００１９】
ＲＦＩＤタグライタ２２は、プリンタエンジン１９で印刷出力する際に、印刷用紙のＲＦＩＤタグに情報を書き込む。ＲＦＩＤタグリーダ２３は、スキャナエンジン５で画像を入力する際に原稿のＲＦＩＤタグの情報を読み込み取得する。ＲＦＩＤタグリーダ２４は、操作部１６を操作しているユーザが持ってるＲＦＩＤタグの情報を取得する。
【００２０】
図２は、本発明に関わる画像形成装置のＳ／Ｗ（ソフトウェア）構成図である。
【００２１】
同図において、２０６はシステム制御手段で、１ＣＰＵの制御を行う。操作・表示手段２０４によって設定された動作条件を元に動作指示を画像読取手段２０１、画像処理手段２０２、画像印刷手段２０３に対して行う。
【００２２】
２０１は画像読取手段で、スキャナエンジン５の制御を行う。必要に応じて、  ＲＦＩＤタグ読み込み手段２０７を使ってＲＦＩＤタグの情報を読み込む。２０７はＲＦＩＤタグ読み込み手段で、  ＲＦＩＤリーダ２３の制御を行う。２０２は画像処理手段で、画像読取手段２０１にて得られた画像に対して画像処理を施す。
【００２３】
２０３は画像印刷手段で、プリンタエンジン１９の制御を行う。必要に応じて、ＲＦＩＤタグ書き込み手段２０８を使ってＲＦＩＤタグヘ情報を書き込む。
【００２４】
ＡＣＣパターン出力は画像処理手段２０２および画像印刷手段２０３により実行される。ＡＣＣパターン読み取りは画像読み取り手段２０１により行われる。階調の補正は画像処理手段２０２によって実行される。
【００２５】
２０４の操作・表示手段は機器操作のためのボタンや機器状態表示のためのインジケーター（ＬＥＤやＬＣＤ等の表示器、スピーカー、等）等、機器操作者とのマンマシンインターフェース部であり、操作部Ｉ／Ｆ制御１７により操作部１６との情報入出力を行なう。
【００２６】
２０９はＲＦＩＤタグ読み込み手段で、ユーザの持つＲＦＩＤタグの情報を読み込む。
【００２７】
図３は、本発明に関わるＡＣＣパターンを示す図である。
【００２８】
同図において、３０１は、ＡＣＣパターンであり、紙面に階調補正をするために必要な濃度情報が印字されている。前記濃度情報は画像処理手段２０２で管理されていて、画像印刷手段２０３によって紙面に印字される。３０２は、ＡＣＣパターンの読み取り方向をユーザに知らせるための矢印である。前記濃度情報を印字する際に同時に印字される。また、矢印に合わせてメッセージが添えられていることもある。３０３は、ＡＣＣパターン出力に関する印字情報である。前記濃度情報を印字する際に同時に印字される。印字情報には、ＡＣＣパターンを出力したユーザ名、出力日時、出力した画像形成装置の識別情報がある。
【００２９】
３０４、３０５はＲＦＩＤタグである。ＲＦＩＤタグ読み込み手段２０７が情報を読み込み、ＲＦＩＤタグ書き込み手段２０８が情報を書き込んでおくことができる。このように、複数のＲＦＩＤタグ（３０４、３０５）が付加されている場合もあるが、ＲＦＩＤが１つだけ付加されている場合もある。
【００３０】
図４は、階調補正方法を説明した図である。
【００３１】
同図において、４０１は、パターン出力時に紙面に印字する濃度情報である。４０２は、パターン読み取り時にＡＣＣパターンから取得した濃度情報である。４０３は、４０１と４０２の差から画像処理手段２０２で演算される値である。この４０３は、コピー機能等で補正値として利用される。
【００３２】
図５は、正確な補正ができない可能性がある場合のユーザインターフェースを説明した図である。
【００３３】
同図において、５０１は操作部１６に表示される。ユーザは、５０２、５０３のボタンにより強制実行をする／しないを選択できる。
【００３４】
図６は、ＡＣＣパターンに印字情報を印字する／しないをユーザに問い合わせる場合のユーザインターフェースを説明した図である。
【００３５】
同図において、６０１は操作部１６に表示される。ユーザは、６０２、６０３のボタンにより印字をする／しないを選択できる。
【００３６】
図７は、ＡＣＣパターンに印字情報を印字する／しないをユーザに問い合わせる場合のユーザインターフェースを説明した図である。
【００３７】
７０１は操作部１６に表示される。ユーザは、７０２、７０３のボタンにより印字をする／しないを選択できる。
【００３８】
図８は、ＡＣＣパターンに印字する情報をユーザに選択させる場合のユーザインターフェースを説明した図である。
【００３９】
８０１は操作部１６に表示される。
【００４０】
図９は、ＡＡＣパターンの出力処理手順（ａ）とＡＡＣパターン読み取り及びその読み取り結果に基づく自動階調補正処理手順（ｂ）を示すフローチャートである。
【００４１】
同図（ａ）において、ユーザが操作部１６を操作し、操作・表示手段２０４ヘＡＣＣ実行を指示することでＡＣＣパターン出力が開始する（１２０１）。
【００４２】
そして、システム制御手段２０６が画像処理手段２０２、画像印刷手段２０３ヘ指示をして、ＡＣＣパターン３０１を出力する。その際に、ＲＦＩＤタグ書き込み手段２０８が付加情報をＲＦＩＤタグ３０４に書き込む。（１２０２）
【００４３】
ユーザがＡＣＣパターン３０１をスキャナエンジン５で入力できる状態にしてもらい、操作部１６を操作し、操作・表示手段２０４で読み取り開始を指示することで、読み取り動作を開始する（１２０３）
【００４４】
システム制御手段２０６が画像読取手段２０１に指示をすることで読み取りをする。その際に、ＲＦＩＤタグ読み込み手段２０７が付加情報をＲＦＩＤタグ３０４から読み出す（１２０４）
【００４５】
システム制御手段２０６が、前記付加情報から、読み取りをした対象がＡＣＣパターン３０１かどうかを判断する。（判断基準は図１０）ＡＣＣパターン３０１である場合は、１２０６へ移行する。ＡＣＣパターン３０１でない場合は１２０７を実行する必要はないので、処理を終了する（１２０５）
【００４６】
システム制御手段２０６が、前記付加情報から正確な補正ができるかを判断する。（判断基準は図１０）正確な補正ができる場合は、１２０７へ移行する。正確な補正ができない場合は、処理を終る（１２０６）。画像処理手段２０２が階調の補正（図４）をする（１２０７）
【００４７】
なお、前記付加情報から、読み取りをした対象がＡＣＣパターン３０１かどうかを判定できるため、１２０２と１２０３の間で、自動階調補正動作のために画像形成装置１００を占有しなくて良い。それによりＡＣＣパターン読み取り動作を通常の読み取り動作と同様に実行できる。
【００４８】
図１０は、図９のフローチャートにおける判断基準を示す図である。
【００４９】
１２０２でＲＦＩＤタグに書き込んだ付属情報があるということは、読み取りをしようとしている原稿は１２０２で出力されたＡＣＣパターンであると判断できる（１３０１）。
【００５０】
１２０２でＲＦＩＤタグに書き込んだ付属情報がないということは、読み取りをしようとしている原稿は１２０２で出力されておらず、ＡＣＣパターンではなく通常の原稿であると判断できる（１３０２）。
【００５１】
１３０３で「一定枚数以上、印刷していないこと」は、付加情報の累計の印刷枚数と画像形成装置１００内でカウントしている累計の印刷枚数とを比べることで判断する。正確な補正ができないと判断する理由は、一定枚数以上、印刷してしまうと、出力トナー残量等、画像形成装置１００内の濃度に関わる環境が変わってしまうためである。
【００５２】
１３０４で「ＡＣＣパターン出力日時から一定時間経過してないこと」は、付加情報のＡＣＣパターン出力日時と画像形成装置１００内の時計とを比べることで判断する。正確な補正ができないと判断する理由は、一定時間経過してしまっている場合、その間にユーザが画像形成装置１００を操作したり、周りの環境（気温など）が変化している可能性が高いためである。
【００５３】
１３０５で「ＡＣＣパターン出力日時後に濃度調整をしていないこと」は、付加情報のＡＣＣパターン出力日時と画像形成装置１００内の濃度調整履歴の日時とを比べることで判断する。正確な補正ができないと判断する理由は、別で濃度調整をしてしまっているためである。
【００５４】
１３０６で「ＡＣＣパターン出力日時後に消耗品交換をしていないこと」は、付加情報のＡＣＣパターン出力日時と画像形成装置１００内の消耗品交換履歴の日時とを比べることで判断する。正確な補正ができないと判断する理由は、消耗品を交換したということはトナー残量が変わり、消耗品の個体差の影響も懸念されるためである。
【００５５】
１３０７で「ＡＣＣパターン出力日時後に省エネモードから復帰をしていないこと」は、付加情報のＡＣＣパターン出力日時と画像形成装置１００内の省エネ復帰履歴の日時と比べることで判断する。正確な補正ができないと判断する理由は、省エネモード復帰時に画像形成装置１００内の濃度調整を行うためである。
【００５６】
１３０８で「自装置の識別番号であること」は、付加情報の画像形成装置１００の識別番号と一致するかどうかで判断する。正確な補正ができないと判断する理由は、機種差や個体差の影響のためである。
【００５７】
１３０９で「特定の装置の識別番号であること」は、付加情報の画像形成装置１００の識別番号とあらかじめ画像形成装置１００に登録されている識別番号と一致するかどうかで判断する。１３０９は、１３０８と違い自装置以外でも機種差や個体差の影響がない装置がある場合に用いる基準である。正確な補正ができないと判断する理由は１３０８と同じである。
【００５８】
図１１は、ＡＡＣパターンの出力処理手順（ａ）とＡＡＣパターン読み取り及びその読み取り結果に基づく自動階調補正処理手順（ｂ）の別例を示すフローチャートである。
【００５９】
同図（ａ）において、ユーザが１６操作部を操作し、操作・表示手段２０４ヘＡＣＣ実行を指示することでＡＣＣパターン出力が開始する（１４０１）。システム制御手段２０６が画像処理手段２０２、画像印刷手段２０３ヘ指示をして、ＡＣＣパターン３０１を出力する。その際に、ＲＦＩＤタグ書き込み手段２０８が付加情報をＲＦＩＤタグ３０４に書き込む（１４０２）。
【００６０】
一方同図（ｂ）において、ユーザがＡＣＣパターン３０１をスキャナエンジン５で入力できる状態にしてもらい、操作部１６を操作し、操作・表示手段２０４で読み取り開始を指示することで、読み取り動作を開始する（１４０３）。システム制御手段２０６が画像読取手段２０１に指示をすることで読み取りをする。その際に、ＲＦＩＤタグ読み込み手段２０７が付加情報をＲＦＩＤタグ３０４から読み出す（１４０４）。システム制御手段２０６が、前記付加情報から、読み取りをした対象がＡＣＣパターン３０１かどうかを判断する（判断基準は図１２）。ＡＣＣパターン３０１である場合は、１４０６へ移行する。ＡＣＣパターン３０１でない場合は１４０７を実行する必要はないので、処理を終了する（１４０５）。システム制御手段２０６が、前記付加情報から正確な補正ができるかを判断する（判断基準は図１２）。正確な補正ができる場合は、１４０７へ移行する。正確な補正ができない場合は、処理を終る（１４０６）。
【００６１】
画像処理手段２０２が階調の補正（図４）をする（１４０７）。操作・表示手段２０４が図５のユーザインターフェースを用いて、ユーザに正確な補正ができないことを警告する（１４０８）。図５のユーザインターフェースで、ユーザが５０２を選択した場合は１４０７へ移行する。ユーザが５０３を選択した場合は処理を終了する。強制実行をした場合に、管理者へメール通知をしておくという方法も考えられる（１４０９）。
【００６２】
なお、前記付加情報から、読み取りをした対象がＡＣＣパターン３０１かどうかを判定できるため、１４０２と１４０３の間で、自動階調補正動作のために画像形成装置１００を占有しなくて良い。それによりＡＣＣパターン読み取り動作を通常の読み取り動作と同様に実行できる。
【００６３】
図１２は、図１１のフローチャートにおける判断基準を示す図である。
【００６４】
１４０２でＲＦＩＤタグに書き込んだ付属情報があるということは、読み取りをしようとしている原稿は１４０２で出力されたＡＣＣパターンであると判断できる（１５０１）。１４０２でＲＦＩＤタグに書き込んだ付属情報がないということは、読み取りをしようとしている原稿は１４０２で出力されておらず、ＡＣＣパターンではなく通常の原稿であると判断できる（１５０２）。
【００６５】
１５０３において「一定枚数以上、印刷していないこと」は、付加情報の印刷枚数と画像形成装置１００内でカウントしている印刷枚数とを比べることで判断する。正確な補正ができないと判断する理由は、一定枚数以上、印刷してしまうと、出力トナー残量等、画像形成装置１００内の濃度に関わる環境が変わってしまうためである。
【００６６】
１５０４において「ＡＣＣパターン出力日時から一定時間経過してないこと」は、付加情報のＡＣＣパターン出力日時と画像形成装置１００内の時計とを比べることで判断する。正確な補正ができないと判断する理由は、一定時間経過してしまっている場合、その間にユーザが画像形成装置１００を操作したり、周りの環境（気温など）が変化している可能性が高いためである。
【００６７】
１５０５において「ＡＣＣパターン出力日時後に濃度調整をしていないこと」は、付加情報のＡＣＣパターン出力日時と画像形成装置１００内の濃度調整履歴の日時とを比べることで判断する。正確な補正ができないと判断する理由は、別で濃度調整をしてしまっているためである。
【００６８】
１５０６において「ＡＣＣパターン出力日時後に消耗品交換をしていないこと」は、付加情報のＡＣＣパターン出力日時と画像形成装置１００内の消耗品交換履歴の日時とを比べることで判断する。正確な補正ができないと判断する理由は、消耗品を交換したということはトナー残量が変わり、消耗品の個体差の影響も懸念されるためである。
【００６９】
１５０７において「ＡＣＣパターン出力日時後に省エネモードから復帰をしていないこと」は、付加情報のＡＣＣパターン出力日時と画像形成装置１００内の省エネ復帰履歴の日時と比べることで判断する。正確な補正ができないと判断する理由は、省エネモード復帰時に画像形成装置１００内の濃度調整を行うためである。
【００７０】
１５０８において「自装置の識別番号であること」は、付加情報の画像形成装置１００の識別番号と一致するかどうかで判断する。正確な補正ができないと判断する理由は、機種差や個体差の影響のためである。
【００７１】
図１３は、本発明を実施するための最良の形態に係るＡＣＣパターン印刷出力・読取り・補正処理手順について示すフローチャートである。
【００７２】
同図において、ユーザが操作部１６を操作し、操作・表示手段２０４へＡＣＣ実行を指示することでＡＣＣが開始する（１６０１）。システム制御手段２０６が画像処理手段２０２、画像印刷手段２０３へ指示をして、ＡＣＣパターン３０１を出力する。その際に画像印刷手段２０３が、印字情報３０３（図１４）をＡＣＣパターン３０１に印字する（１６０２）。ユーザが、ＡＣＣパターン３０１をスキャナエンジン５で入力できる状態にし、操作部１６を操作し、操作・表示手段２０４で読み取り開始を指示することで、ＡＣＣパターン３０１の読み取りを開始する（１６０３）。画像処理手段２０２が階調の補正（図４）をする（１６０４）。
【００７３】
図１４は、図１３の処理手順においてＡＣＣパターン３０１に付加される印字情報を示す図である。
【００７４】
同図において、１７０１の「ＡＣＣパターン出力日時」は、ＡＣＣパターン３０１の出力を実行した日時である。１７０２の「画像形成装置の識別情報」は、どの画像形成装置１００でＡＣＣパターン３０１を出力したかが解る情報であり、画像形成装置１００の製造・出荷時等に予め設定・記憶されている情報である。１７０１〜１７０２を組み合わせて印字する場合もある。
【００７５】
図１５は、本発明を実施するための最良の形態に係るＡＣＣパターン印刷出力・読取り・補正処理手順の別例について示すフローチャートである。
【００７６】
同図において、ユーザが操作部を操作し１６、操作・表示手段２０４へＡＣＣ実行を指示することでＡＣＣが開始する（１８０１）。ＲＦＩＤタグ読み込み手段２０９が、ユーザの持つＲＦＩＤタグのユーザ情報を読み込む（１８０２）。システム制御手段２０６が画像処理手段２０２、画像印刷手段２０３へ指示をして、ＡＣＣパターン３０１を出力する。その際に画像印刷手段２０３が、印字情報３０３（図１６）をＡＣＣパターン３０１に印字する（１８０３）。ユーザが、ＡＣＣパターン３０１をスキャナエンジン５で入力できる状態にし、操作部１６を操作し、操作・表示手段２０４で読み取り開始を指示することで、ＡＣＣパターン３０１の読み取りを開始する（１８０４）。画像処理手段２０２が階調の補正（図４）をする（１８０５）。
【００７７】
図１６は、図１５の処理手順においてＡＣＣパターン３０１に付加される印字情報を示す図である。
【００７８】
同図において、１９０１の「ＡＣＣパターン出力日時」は、ＡＣＣパターンの出力を実行した日時である。１９０２の「画像形成装置の識別情報」は、どの画像形成装置１００でＡＣＣパターン３０１を出力したかが解る情報である。１９０３のユーザ情報は、ＡＣＣパターンを出力したユーザの情報である。１９０１〜１９０３を組み合わせて印字する場合もある。
【００７９】
図１７は、本発明を実施するための最良の形態に係るＡＣＣパターン印刷出力・読み取り・補正処理手順の別例について示すフローチャートである。
【００８０】
同図において、ユーザが操作部１６を操作し、操作・表示手段２０４へＡＣＣ実行を指示することでＡＣＣが開始する（２００１）。ＲＦＩＤタグ読み込み手段２０９が、ユーザの持つＲＦＩＤタグのユーザ情報を読み込む（２００２）。システム制御手段２０６が印字情報３０３（図１６）を印字する／しないを判断する。印字する場合は２００４へ移行する。印字しない場合は２００５へ移行する。印字する／しないは、この時にユーザに選択してもらう方法（図６）と事前にユーザに設定しておいてもらう方法（図７）がある（２００３）。システム制御手段２０６が画像処理手段２０２、画像印刷手段２０３へ指示をして、ＡＣＣパターン３０１を出力する。その際に画像印刷手段が、印字情報３０３（図１６）をＡＣＣパターン３０１に印字する（２００４）。
【００８１】
システム制御手段２０６が画像処理手段２０２、画像印刷手段２０３へ指示をして、ＡＣＣパターン３０１を出力する（２００５）。ユーザが、ＡＣＣパターン３０１をスキャナエンジン５で入力できる状態にし、操作部１６を操作し、操作・表示手段２０４で読み取り開始を指示することで、ＡＣＣパターン３０１の読み取りを開始する（２００６）。画像処理手段２０２が階調の補正（図４）をする（２００７）。
【００８２】
図１８は、本発明を実施するための最良の形態に係るＡＣＣパターン印刷出力・読み取り・補正処理手順の別例について示すフローチャートである。
【００８３】
同図において、ユーザが操作部１６を操作し、操作・表示手段２０４へＡＣＣ実行を指示することでＡＣＣが開始する（２１０１）。ＲＦＩＤタグ読み込み手段２０９が、ユーザの持つＲＦＩＤタグのユーザ情報を読み込む（２１０２）。
【００８４】
システム制御手段２０６が印字情報３０３（図１６）を印字する／しないを判断する。印字する場合は２１０４へ移行する。印字しない場合は２１０５へ移行する。印字する／しないは、この時にユーザに選択してもらう方法（図６）と事前にユーザに設定しておいてもらう方法（図７）がある（２１０３）。
【００８５】
システム制御手段２０６が印字する印字情報３０３（図１６）を選択する。選択する方法として、この時にユーザに選択してもらう方法（図８）とユーザ情報から２０６システム制御手段で決定する方法（図１９）とが考えられる。システム制御手段２０６が画像処理手段２０２、画像印刷手段２０３へ指示をして、ＡＣＣパターン３０１を出力する（２１０５）。
【００８６】
システム制御手段２０６が画像処理手段２０２、画像印刷手段２０３へ指示をして、ＡＣＣパターン３０１を出力する。その際に画像印刷手段２０３が、印字情報３０３（図１６）をＡＣＣパターン３０１に印字する（２１０６）。
【００８７】
ユーザが、ＡＣＣパターン３０１をスキャナエンジン５で入力できる状態にし、操作部１６を操作し、操作・表示手段２０４で読み取り開始を指示することで、ＡＣＣパターン３０１の読み取りを開始する（２１０７）。画像処理手段２０２が階調の補正（図４）をする（２１０８）。
【００８８】
図１９は、ユーザ情報から印字情報を決定する方法を示す図である。
【００８９】
同図において、システム制御手段２０６が、ユーザによって印字する情報を決定する（２２０１）。
【００９０】
これにより、ユーザごとにきめ細かく管理された自動階調補正（ＡＣＣ）を実現できる。
【００９１】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００９２】
【図１】本発明を実施するための最良の形態に係る画像形成装置１００の基本構成を示すブロック図である。
【図２】本発明に関わる画像形成装置のＳ／Ｗ（ソフトウェア）構成図である。
【図３】本発明に関わるＡＣＣパターンを示す図である。
【図４】階調補正方法を説明した図である。
【図５】正確な補正ができない可能性がある場合のユーザインターフェースを説明した図である。
【図６】ＡＣＣパターンに印字情報を印字する／しないをユーザに問い合わせる場合のユーザインターフェースを説明した図である。
【図７】ＡＣＣパターンに印字情報を印字する／しないをユーザに問い合わせる場合のユーザインターフェースを説明した図である。
【図８】ＡＣＣパターンに印字する情報をユーザに選択させる場合のユーザインターフェースを説明した図である。
【図９】ＡＡＣパターンの出力処理手順（ａ）とＡＡＣパターン読み取り及びその読み取り結果に基づく自動階調補正処理手順（ｂ）を示すフローチャートである。
【図１０】図９のフローチャートにおける判断基準を示す図である。
【図１１】ＡＡＣパターンの出力処理手順（ａ）とＡＡＣパターン読み取り及びその読み取り結果に基づく自動階調補正処理手順（ｂ）の別例を示すフローチャートである。
【図１２】図１１のフローチャートにおける判断基準を示す図である。
【図１３】本発明を実施するための最良の形態に係るＡＣＣパターン印刷出力・読取り・補正処理手順について示すフローチャートである。
【図１４】図１３の処理手順においてＡＣＣパターン３０１に付加される印字情報を示す図である。
【図１５】本発明を実施するための最良の形態に係るＡＣＣパターン印刷出力・読取り・補正処理手順の別例について示すフローチャートである。
【図１６】図１５の処理手順においてＡＣＣパターン３０１に付加される印字情報を示す図である。
【図１７】本発明を実施するための最良の形態に係るＡＣＣパターン印刷出力・読み取り・補正処理手順の別例について示すフローチャートである。
【図１８】本発明を実施するための最良の形態に係るＡＣＣパターン印刷出力・読み取り・補正処理手順の別例について示すフローチャートである。
【図１９】ユーザ情報から印字情報を決定する方法を示す図である。
【符号の説明】
【００９３】
１００  画像形成装置
【図１】
2008235980.tif 000003
【図２】
2008235980.tif 000004
【図３】
2008235980.tif 000005
【図４】
2008235980.tif 000006
【図５】
2008235980.tif 000007
【図６】
2008235980.tif 000008
【図７】
2008235980.tif 000009
【図８】
2008235980.tif 000010
【図９】
2008235980.tif 000011
【図１０】
2008235980.tif 000012
【図１１】
2008235980.tif 000013
【図１２】
2008235980.tif 000014
【図１３】
2008235980.tif 000015
【図１４】
2008235980.tif 000016
【図１５】
2008235980.tif 000017
【図１６】
2008235980.tif 000018
【図１７】
2008235980.tif 000019
【図１８】
2008235980.tif 000020
【図１９】
2008235980.tif 000021